(57)【要約】      （修正有）【課題】人手によるレンズの拭き取り作業を経なくても、本洗浄後の眼鏡のレンズを極めて良好に浄化することが可能な眼鏡用仕上げ洗浄ノズル、眼鏡洗浄装置、及び眼鏡の仕上げ洗浄方法を提供する。【解決手段】眼鏡用仕上げ洗浄ノズル１０は、偏平形状を呈し且つ筒状を呈する胴体１１を備える。胴体１１はスリット状の吐出口１４を含む。【選択図】図１
2019191341.tif 000002
【特許請求の範囲】
【請求項１】
偏平形状を呈し且つ筒状を呈する胴体を備え、
前記胴体はスリット状の吐出口を含む、眼鏡用仕上げ洗浄ノズル。
【請求項２】
前記胴体の前記吐出口側の一端は前記胴体の他端側に向けて窪んでいる、請求項１に記載のノズル。
【請求項３】
前記一端は前記他端側に向けて円弧状に窪んでいる、請求項２に記載のノズル。
【請求項４】
前記一端はその幅方向全体にわたって窪んでいる、請求項２又は３に記載のノズル。
【請求項５】
前記一端には前記吐出口を覆う網状部材が設けられている、請求項１〜４のいずれか一項に記載のノズル。
【請求項６】
請求項１〜５のいずれか一項に記載のノズルの前記吐出口から仕上げ洗浄液を下方に吐出した状態で、本洗浄後の眼鏡の前枠上縁又は前枠下縁に沿って前記ノズルを前記眼鏡に対して相対移動させることを含む、眼鏡の仕上げ洗浄方法。
【請求項７】
前記ノズルを前記眼鏡に対して相対移動させることは、前記前枠上縁又は前記前枠下縁が水平面に対して３０°〜６０°傾いた状態で前記ノズルを前記眼鏡に対して相対移動させることを含む、請求項６に記載の方法。
【請求項８】
前記ノズルを前記眼鏡に対して相対移動させることは、３０ｍｌ／ｓｅｃ〜７０ｍｌ／ｓｅｃの流量で前記吐出口から前記仕上げ洗浄液を下方に吐出した状態で、前記ノズルを前記眼鏡に対して相対移動させることを含む、請求項６又は７に記載の方法。
【請求項９】
前記ノズルを前記眼鏡に対して相対移動させることの後に、前記前枠下縁が下となり且つ前記眼鏡の鼻当てが吸水性シートの表面から突出する突起と当接するように前記眼鏡の少なくとも前記前枠下縁を前記吸水性シートの上に載置することをさらに含む、請求項６〜８のいずれか一項に記載の方法。
【請求項１０】
請求項１〜５のいずれか一項に記載のノズルと、
眼鏡の本洗浄を行うように構成された本洗浄槽と、
前記本洗浄槽によって本洗浄された後の前記眼鏡を仕上げ洗浄するように構成された仕上げ洗浄槽と、
前記眼鏡を前記本洗浄槽と前記仕上げ洗浄槽との間で搬送させるように構成された搬送機構と、
前記吐出口から仕上げ洗浄液を下方に吐出させた状態で、前記仕上げ洗浄槽内において前記搬送機構に保持されている前記眼鏡の前枠上縁又は前枠下縁に沿って前記ノズルを前記眼鏡に対して相対移動させるように、前記ノズル及び前記搬送機構の少なくとも一方を制御する処理を実行する制御部とを備える、眼鏡洗浄装置。
【発明の詳細な説明】
【技術分野】
【０００１】
本開示は、眼鏡用仕上げ洗浄ノズル、眼鏡洗浄装置、及び眼鏡の仕上げ洗浄方法に関する。
【背景技術】
【０００２】
特許文献１は、眼鏡のレンズを洗浄するための洗浄機に使用するスプレーノズルを開示している。当該ノズルはＸ字形状の流路を有しており、当該ノズルの吐出口はスリット状を呈している。これにより、ノズルの吐出口から吐出される洗浄液の噴流が、気泡を生ずることなく薄膜状をなして、強制的に外方に押し出される。この高圧の噴流が眼鏡のガラス表面全体に接することにより、眼鏡のレンズを効果的に洗浄できるようになる。
【０００３】
特許文献２は、眼鏡、貴金属等の洗浄に適した超音波洗浄装置を開示している。
【０００４】
特許文献１のノズルや特許文献２の超音波洗浄装置を用いて眼鏡のレンズを洗浄した後は、一般的には、レンズ面に残っている液滴を人手で拭き取ることにより、仕上げ処理が行われる。あるいは、このようなノズルや超音波洗浄装置が身近にない場合には、レンズ面に洗浄液を人手で噴霧した後に、レンズ面に残っている液滴をやはり人手で拭き取ることにより、洗浄処理及び仕上げ処理が行われる。
【先行技術文献】
【特許文献】
【０００５】
【特許文献１】特表２００８−５３６６７１号公報
【特許文献２】特開２０００−２３７７０８号公報
【発明の概要】
【発明が解決しようとする課題】
【０００６】
このように、眼鏡の洗浄後の仕上げ処理は、一般に人手で行われるので、拭きムラが生じたり、レンズに傷が生ずることがある。しかも、近年の眼鏡レンズの大部分はプラスチック製であるので、傷がつきやすく、レンズを拭く際の力の程度によっては、レンズが白く変色してしまう懸念もある。特に、若年者（例えば児童）は眼鏡の取り扱いに長けていないので、彼らが眼鏡を洗浄する際にはこの懸念が高まる。
【０００７】
そこで、本開示は、人手によるレンズの拭き取り作業を経なくても、本洗浄後の眼鏡のレンズを極めて良好に浄化することが可能な眼鏡用仕上げ洗浄ノズル、眼鏡洗浄装置、及び眼鏡の仕上げ洗浄方法を説明する。
【課題を解決するための手段】
【０００８】
本開示の一つの観点に係る眼鏡用仕上げ洗浄ノズルは、偏平形状を呈し且つ筒状を呈する胴体を備える。胴体はスリット状の吐出口を含む。
【０００９】
本開示の他の観点に係る仕上げ洗浄方法は、上記のノズルの吐出口から仕上げ洗浄液を下方に吐出した状態で、本洗浄後の眼鏡の前枠上縁又は前枠下縁に沿ってノズルを眼鏡に対して相対移動させることを含む。
【００１０】
本開示の他の観点に係る眼鏡洗浄装置は、上記のノズルと、眼鏡の本洗浄を行うように構成された本洗浄槽と、本洗浄槽によって本洗浄された後の眼鏡を仕上げ洗浄するように構成された仕上げ洗浄槽と、眼鏡を本洗浄槽と仕上げ洗浄槽との間で搬送させるように構成された搬送機構と、吐出口から仕上げ洗浄液を下方に吐出させた状態で、仕上げ洗浄槽内において搬送機構に保持されている眼鏡の前枠上縁又は前枠下縁に沿ってノズルを眼鏡に対して相対移動させるように、ノズル及び搬送機構の少なくとも一方を制御する処理を実行する制御部とを備える。
【発明の効果】
【００１１】
本開示に係る眼鏡用仕上げ洗浄ノズル、眼鏡洗浄装置、及び眼鏡の仕上げ洗浄方法によれば、人手によるレンズの拭き取り作業を経なくても、本洗浄後の眼鏡のレンズを極めて良好に浄化することが可能となる。
【図面の簡単な説明】
【００１２】
【図１】図１は、本実施形態に係る仕上げ洗浄ノズルの一例を示す斜視図である。
【図２】図２（ａ）は図１のノズルの側面図であり、図２（ｂ）は図１のノズルの正面図であり、図２（ｃ）は図２（ａ）のＣ−Ｃ線断面図であり、図２（ｄ）は図１のノズルの下面図である。
【図３】図３は、図１のノズルを用いた眼鏡の仕上げ洗浄方法を説明するための図であり、眼鏡を斜め上方から見た図である。
【図４】図４は、図１のノズルを用いた眼鏡の仕上げ洗浄方法を説明するための図であり、眼鏡を側方から見た図である。
【図５】図５は、図１のノズルを用いた眼鏡の仕上げ洗浄方法を説明するための図であり、眼鏡を上方から見た図である。
【図６】図６は、図１のノズルを適用した眼鏡洗浄装置の一例を示す概略図である。
【図７】図７は、吸水性シートを用いて眼鏡に残った洗浄液を除去する様子を説明する図である。
【発明を実施するための形態】
【００１３】
以下に、本開示に係る実施形態の一例について、図面を参照しつつより詳細に説明する。以下の説明において、同一要素又は同一機能を有する要素には同一符号を用いることとし、重複する説明は省略する。
【００１４】
［仕上げ洗浄ノズル］
まず、図１及び図２を参照して、眼鏡の仕上げ洗浄に用いられるノズル１０（眼鏡用仕上げ洗浄ノズル）の構成について説明する。ノズル１０は、胴体１１と、接続部１２と、網状部材１３とを備える。
【００１５】
胴体１１は、偏平形状を呈し且つ筒状を呈している。具体的には、胴体１１は、一対の主壁１１ａ，１１ｂと、一対の側壁１１ｃ，１１ｄと、端壁１１ｅと、吐出口１４とを含む。主壁１１ａ，１１ｂは、同等の形状を呈している。具体的には、主壁１１ａ，１１ｂは、図１、図２（ｂ）及び図２（ｃ）に示されるように、吐出口１４に向かうにつれて幅広となる台形状を呈している。主壁１１ａ，１１ｂは、図１及び図２（ａ）に示されるように、吐出口１４に向かうにつれて互いの離間距離が小さくなっている。
【００１６】
主壁１１ａ，１１ｂの下端１１ｆは、吐出口１４の一部である。すなわち、下端１１ｆは、胴体１１の吐出口１４側の一端でもある。これらの下端１１ｆは、図１、図２（ｂ）及び図２（ｃ）に示されるように、端壁１１ｅ側（主壁１１ａ，１１ｂの上端側）に向けて凹状に窪んでいる。より具体的には、下端１１ｆは、その幅方向全体にわたって円弧状に窪んでいる。
【００１７】
側壁１１ｃ，１１ｄは、同等の形状を呈している。具体的には、側壁１１ｃ，１１ｄは、図１及び図２（ａ）に示されるように、吐出口に向かうにつれて幅狭となる台形状を呈している。側壁１１ｃ，１１ｄは、図１、図２（ｂ）及び図２（ｃ）に示されるように、吐出口１４に向かうにつれて互いの離間距離が大きくなっている。
【００１８】
端壁１１ｅは、胴体１１の上端に設けられている。一方、胴体１１の下端には端壁が設けられていない。そのため、胴体１１は、有底筒状体であるともいえる。胴体１１は、例えばゴム、防水紙、防水布等の柔軟性を有する材料によって構成されていてもよい。ゴムとしては、例えば、天然ゴム、合成ゴム（シリコーンゴム、ブタジエンゴム、ウレタンゴム等）、熱可塑性エラストマー等が挙げられる。あるいは、胴体１１は、例えば、樹脂成形品、木材、金属等で構成されていてもよい。
【００１９】
接続部１２は、円筒形状を呈しており、仕上げ洗浄液（例えば、水）の供給源（例えば、水道の蛇口）と接続されうる。接続部１２は、例えば、当該供給源と直接接続されてもよいし、当該供給源とホース等を介して間接的に接続されてもよい。接続部１２は、端壁１１ｅに設けられている貫通孔Ｈ（図２（ｃ）参照）と連通している。そのため、供給源からの仕上げ洗浄液が、接続部１２を通じて胴体１１内に供給されるようになっている。
【００２０】
網状部材１３は、図２（ｃ）及び図２（ｄ）に示されるように、吐出口１４の全体を覆うように設けられている。網状部材１３は、吐出口から吐出される仕上げ洗浄液を整流する機能を有する。網状部材１３の材質、網目サイズ等は、整流機能が得られる範囲内で適宜選択しうる。網状部材１３は、例えば、金属で構成されていてもよいし、布で構成されていてもよいし、樹脂で構成されていてもよい。網状部材１３の網目の内寸は、例えば、一辺が０．１ｍｍ〜５ｍｍ程度であってもよい。
【００２１】
［仕上げ洗浄方法］
続いて、図３〜図５を参照して、ノズル１０を用いた眼鏡１００の仕上げ洗浄方法について説明する。図３〜図５には、一般的な形状の眼鏡１００の例が示されている。眼鏡１００は、一対のレンズ１０１と、各レンズ１０１をそれぞれ保持する一対のリム１０２と、リム１０２同士を接続するブリッジ１０３と、ブリッジ１０３近傍に設けられた鼻当て１０４と、各リム１０２の外側端部にそれぞれ接続された一対のツル１０５とを備える。一対のリム１０２、ブリッジ１０３及び鼻当て１０４は、前枠と総称される。本実施形態では、一対のリム１０２の上縁及びブリッジ１０３の上縁を前枠上縁１０６と称し、一対のリム１０２の下縁及びブリッジ１０３の下縁を前枠下縁１０７と称する。
【００２２】
まず、図３及び図４に示されるように、ノズル１０の接続部１２を仕上げ洗浄液の供給源２０と接続する。次に、供給源からノズル１０に仕上げ洗浄液を供給する。これにより、吐出口１４から下方に向けて薄膜状（カーテン状）の液膜、すなわち流体カーテンＳが生ずる。
【００２３】
このとき、吐出口１４から吐出される仕上げ洗浄液の流量は、３０ｍｌ／ｓｅｃ〜７０ｍｌ／ｓｅｃ程度に設定されていてもよいし、４０ｍｌ／ｓｅｃ〜６０ｍｌ／ｓｅｃ程度に設定されていてもよいし、５０ｍｌ／ｓｅｃ程度に設定されていてもよい。吐出口１４からの仕上げ洗浄液の流量が３０ｍｌ／ｓｅｃ以上であると、流体カーテンＳの流れが眼鏡１００のレンズ１０１の表面に沿ってよりいっそう流れやすくなる。吐出口１４からの仕上げ洗浄液の流量が７０ｍｌ／ｓｅｃ以上であると、吐出口１４からの流体カーテンＳがより均一な流れとなりやすくなる。
【００２４】
次に、吐出口１４から流体カーテンＳが流下している状態で、本洗浄後の眼鏡１００の前枠上縁１０６に沿ってノズル１０を眼鏡１００に対して相対移動させる（図３〜図５の矢印Ａｒ１参照）。例えば、眼鏡１００を固定した状態でノズル１０を移動してもよいし、ノズル１０を固定した状態で眼鏡１００を移動してもよい。なお、以下では、ノズル１０を眼鏡１００に対して相対移動させることを単に「相対移動」と称する。相対移動の速度は、例えば、０．５ｃｍ／ｓｅｃ〜２ｃｍ／ｓｅｃ程度であってもよいし、０．７ｃｍ／ｓｅｃ〜１．５ｃｍ／ｓｅｃ程度であってもよいし、１ｃｍ／ｓｅｃ程度であってもよい。
【００２５】
相対移動の際、眼鏡１００のレンズ１０１の表面は、図４及び図５に示されるように、流体カーテンＳの流れ方向（鉛直方向）に沿っており、且つ、流体カーテンＳの主面（ノズル１０の主壁１１ａ，１１ｂ）に交差（例えば、略直交）していてもよい。このとき、図４に示されるように、流体カーテンＳはレンズ１０１の表面との間に生ずる表面張力により、相対移動の方向とは逆側（図４の矢印Ａｒ１とは逆方向）に拡がる。そのため、流体カーテンＳがレンズ１０１の表面の広範囲と接触する。
【００２６】
相対移動の際、前枠上縁１０６は、下端１１ｆの窪み内を通過してもよい。このとき、前枠上縁１０６は、下端１１ｆと接触していてもよいし、下端１１ｆとわずかに離間していてもよい。
【００２７】
相対移動の際、前枠上縁１０６の水平面に対する角度θ（図４参照）は、０°〜９０°程度に設定されていてもよいし、３０°〜６０°程度に設定されていてもよいし、４０°〜５０°程度に設定されていてもよいし、４５°程度に設定されていてもよい。
【００２８】
［眼鏡洗浄装置］
続いて、図６を参照して、上記の眼鏡の仕上げ洗浄方法が実行される眼鏡洗浄装置２００の一例について説明する。眼鏡洗浄装置２００は、本洗浄槽２０１と、仕上げ洗浄槽２０２と、乾燥槽２０３と、ガスノズル２０４と、シャッタ２０５と、搬送機構２０６と、コントローラ２０７（制御部）とを備える。
【００２９】
本洗浄槽２０１は、本洗浄液（例えば、レンズ用のクリーナ液）を貯留可能に構成された容器である。本洗浄槽２０１には、超音波振動を発生させる発振器（図示せず）、ファインバブル生成器（図示せず）等の、眼鏡１００の洗浄を促進させる機器が設けられていてもよい。
【００３０】
仕上げ洗浄槽２０２は、本洗浄槽２０１の上方に配置されている。仕上げ洗浄槽２０２内には、ノズル１０が配置されている。ノズル１０は、コントローラ２０７からの指示に基づいて、仕上げ洗浄槽２０２内において所定方向に移動可能に構成されている。仕上げ洗浄槽２０２の下部には、排液口２０２ａが設けられている。眼鏡１００を仕上げ洗浄した後の仕上げ洗浄液は、排液口２０２ａを通じて眼鏡洗浄装置２００の外部に排出される。
【００３１】
乾燥槽２０３は、仕上げ洗浄槽２０２の上方に配置されている。乾燥槽２０３内には、ガスノズル２０４が配置されている。ガスノズル２０４は、コントローラ２０７からの指示に基づいて、乾燥槽２０３内に位置する眼鏡１００に対して気体（例えば、空気）を吹き付けるように構成されている。
【００３２】
シャッタ２０５は、本洗浄槽２０１と仕上げ洗浄槽２０２との間に設けられている。シャッタ２０５は、コントローラ２０７からの指示に基づいて、水平方向に沿って開閉する。具体的には、眼鏡１００を本洗浄槽２０１と仕上げ洗浄槽２０２との間で移動させる場合、シャッタ２０５は開放される（図６の矢印Ａｒ２参照）。一方、仕上げ洗浄槽２０２において眼鏡１００の仕上げ洗浄が行われる場合、シャッタ２０５は閉鎖される（図６の矢印Ａｒ３参照）。これにより、仕上げ洗浄液の本洗浄槽２０１への混入が防がれる。このとき、仕上げ洗浄液は、仕上げ洗浄槽２０２の排液口２０２ａから排液される。
【００３３】
搬送機構２０６は、コントローラ２０７からの指示に基づいて、眼鏡１００を保持して、本洗浄槽２０１、仕上げ洗浄槽２０２及び乾燥槽２０３との間で搬送するように構成されている。搬送機構２０６は、図６に示されるように、眼鏡１００のツルを把持可能なロボットハンド等であってもよい。
【００３４】
コントローラ２０７は、ノズル１０、ガスノズル２０４、シャッタ２０５及び搬送機構２０６に指示して、これらを制御するように構成されている。
【００３５】
続いて、以上のように構成されている眼鏡洗浄装置２００の動作について説明する。まず、搬送機構２０６が乾燥槽２０３内に位置している状態（初期状態）で、作業者が搬送機構２０６に眼鏡１００のツル１０５を取り付ける。この状態で、作業者が眼鏡洗浄装置２００のスタートボタンを押すと、眼鏡洗浄装置２００による眼鏡１００の洗浄処理が開始する。
【００３６】
コントローラ２０７は、まずシャッタ２０５に指示して、シャッタ２０５を開放する（図６の矢印Ａｒ２参照）。これにより、本洗浄槽２０１、仕上げ洗浄槽２０２及び乾燥槽２０３が連通する。次に、コントローラ２０７は、搬送機構２０６に指示して、眼鏡１００を搬送機構２０６により本洗浄槽２０１内へと搬送する。これにより、眼鏡１００は、本洗浄槽２０１に貯留されている本洗浄液に浸漬される。この状態で、コントローラ２０７は、例えば発振器（図示せず）に指示して、眼鏡１００を超音波洗浄してもよい。こうして、眼鏡１００の本洗浄が完了する。
【００３７】
次に、コントローラ２０７は、搬送機構２０６に指示して、眼鏡１００を仕上げ洗浄槽２０２へと搬送する。このとき、搬送機構２０６は、前枠上縁１０６が水平面に対して角度θで傾くように、眼鏡１００を仕上げ洗浄槽２０２内で保持する。
【００３８】
次に、コントローラ２０７は、シャッタ２０５に指示して、シャッタ２０５を閉鎖する（図６の矢印Ａｒ３参照）。次に、コントローラ２０７は、ノズル１０に指示して、吐出口１４から仕上げ洗浄液を吐出させる。これにより、吐出口１４の下方に流体カーテンＳが生ずる。この状態で、コントローラ２０７は、ノズル１０に指示して、眼鏡１００の前枠上縁１０６に沿ってノズル１０を所定方向に移動させる。ノズル１０の眼鏡１００に対する具体的な移動の様子は、上記の仕上げ洗浄方法の欄において述べたとおりである。こうして、眼鏡１００の仕上げ洗浄が完了する。
【００３９】
次に、コントローラ２０７は、搬送機構２０６に指示して、眼鏡１００を乾燥槽２０３へと搬送する。次に、コントローラ２０７は、ガスノズル２０４に指示して、ガスノズル２０４から眼鏡１００の鼻当て１０４、ツル１０５等に向けてガスを吹き付ける。これにより、眼鏡１００の鼻当て１０４、ツル１０５等に残っている水滴が気体によって吹き飛ばされる。
【００４０】
以上により、眼鏡１００の洗浄処理が完了する。このように、眼鏡洗浄装置２００は、眼鏡１００の本洗浄、仕上げ洗浄及び乾燥を自動で実行する。
【００４１】
［作用］
以上の実施形態では、ノズル１０の吐出口１４から下方に向けて仕上げ洗浄液を吐出した場合、吐出口１４の下方に流体カーテンＳが生ずる。流体カーテンＳは、吐出口１４の近傍において層流となりやすく、おおよそ均一な流れを形成する。そのため、吐出口１４から吐出された仕上げ洗浄液が液滴状となって周囲に飛散することが抑制される。従って、例えば、眼鏡１００のレンズ１０１の表面が流体カーテンＳの流れ方向に沿い且つ流体カーテンＳの主面に交差するように、流体カーテンＳに眼鏡１００を通過させることにより、流体カーテンＳの流れがレンズ１０１の両面に沿って流下するので、レンズ１０１に仕上げ洗浄液の液滴が極めて付着し難い。その結果、眼鏡１００の本洗浄時の洗浄液の液滴がレンズ１０１に残っていたり、本洗浄後もレンズ１０１に塵埃等が付着していたとしても、これらが流体カーテンＳによって流されるのみならず、仕上げ洗浄後のレンズ１０１に仕上げ洗浄液がほとんど残らない。以上により、本実施形態では、レンズ１０１の拭き取り作業を経なくても、本洗浄後の眼鏡１００のレンズ１０１を極めて良好に浄化することが可能となる。特に、本実施形態に係るノズル１０によれば、レンズ１０１の両面を同時に浄化することが可能となる。
【００４２】
本実施形態では、胴体１１の下端１１ｆが端壁１１ｅ側に向けて窪んでいる。そのため、眼鏡１００の前枠上縁１０６が下端１１ｆの窪み内を通過するようにノズル１０を眼鏡１００に対して相対移動させることにより、当該相対移動が容易に行えるようになると共に、流体カーテンの略一定の領域にレンズを通過させることができる。
【００４３】
本実施形態では、下端１１ｆが端壁１１ｅ側に向けて円弧状に窪んでいる。そのため、眼鏡１００の前枠上縁１０６が、下端１１ｆに引っ掛かり難くなる。すなわち、前枠上縁１０６が下端１１ｆの窪み内をよりスムーズに通過することが可能となる。
【００４４】
本実施形態では、下端１１ｆがその幅方向全体にわたって窪んでいる。そのため、吐出口１４から吐出された仕上げ洗浄液が流体カーテンＳの幅方向の内側に向けて流れやすくなるので、流体カーテンが下方に向かうにつれて徐々に幅狭となる。従って、吐出口１４から吐出された仕上げ洗浄液が液滴状となって周囲に飛散することがより抑制される。
【００４５】
本実施形態では、吐出口１４を覆う網状部材１３が下端１１ｆに設けられている。そのため、仕上げ洗浄液が吐出口１４から吐出される前に網状部材１３を通過する。従って、吐出口１４からは、網状部材１３によって整流された仕上げ洗浄液が吐出される。その結果、流体カーテンＳが吐出口１４の近傍においてより層流となりやすくなる。これにより、吐出口１４から吐出された仕上げ洗浄液が液滴状となって周囲に飛散することが抑制されると共に、流体カーテンＳがレンズ１０１の両面に沿って流下しやすくなる。以上より、仕上げ洗浄後のレンズ１０１に仕上げ洗浄液が極めて残り難くなる。
【００４６】
本実施形態では、前枠上縁１０６が水平面に対して３０°〜６０°傾いた状態でノズル１０が眼鏡１００に対して相対移動されうる。この場合、レンズ１０１も水平面に対して傾いた状態となるので、流体カーテンＳの流れがレンズ１０１の表面に対してより長く接触する。そのため、レンズ１０１の表面に付着している液滴、塵埃等が、流体カーテンＳによってより流されやすくなるので、レンズ１０１がいっそう良好に浄化される。加えて、レンズ１０１が水平面に対して傾いた状態であるので、レンズ１０１の表面を流れた液体は、レンズ１０１のうち下方の隅部に集まりやすくなる。そのため、当該隅部で成長した液滴が重力の作用により落下しやすくなるので、仕上げ洗浄後のレンズ１０１に仕上げ洗浄液が極めて残り難くなる。
【００４７】
本実施形態では、胴体１１が、シリコーンゴム等の柔軟性を有する材料によって構成されうる。この場合、ノズル１０の下端１１ｆが前枠上縁１０６に当接しながらノズル１０が眼鏡１００に対して相対移動しても、前枠上縁１０６を傷付けてしまうことが抑制される。
【００４８】
［変形例］
以上、本開示に係る実施形態について詳細に説明したが、特許請求の範囲及びその要旨を逸脱しない範囲で種々の変形を上記の実施形態に加えてもよい。
【００４９】
（１）上記の実施形態では、胴体１１が下端１１ｆに向かうにつれて幅広となるように構成されていたが、胴体１１の形状はこれに限定されない。胴体１１の断面積は、胴体１１の高さ方向において一定であってもよいし、変化していてもよい。すなわち、吐出口１４がスリット状（長孔状）であればよい。
【００５０】
（２）下端１１ｆの窪みは円弧状以外の他の形状（例えば、三角形状、矩形状、波状など）であってもよい。
【００５１】
（３）下端１１ｆはその幅方向全体にわたって窪んでいなくてもよい。すなわち、下端１１ｆの一部に窪みが設けられていてもよい。
【００５２】
（４）下端１１ｆには網状部材１３が設けられていなくてもよい。
【００５３】
（５）前枠下縁１０７が上方に位置し且つ前枠上縁１０６が下方に位置するように眼鏡の天地を逆にした状態で、ノズル１０を眼鏡１００に対して相対移動させてもよい。相対移動の際、前枠下縁１０７は、下端１１ｆの窪み内を通過してもよい。このとき、前枠下縁１０７は、下端１１ｆと接触していてもよいし、下端１１ｆとわずかに離間していてもよい。
【００５４】
（６）上記の実施形態では、眼鏡１００のリムが前枠上縁１０６及び前枠下縁１０７を構成していたが、リムが部分的に又は全体的に存在しない眼鏡１００の場合には、レンズ１０１の上縁が前枠上縁１０６として機能しうると共に、レンズ１０１の下縁が前枠下縁１０７として機能しうる。
【００５５】
（７）上記の実施形態では、眼鏡１００が一対のレンズ１０１を有する場合を例示したが（図３〜図６参照）、眼鏡１００が有するレンズ１０１の数は特に限定されない。例えば、一つのレンズを有する一眼型の眼鏡１００であってもよい。
【００５６】
（８）上記の実施形態では、眼鏡１００が一対のツルを有する場合を例示したが（図３〜図６参照）、眼鏡１００がツルを有していなくてもよい。
【００５７】
（９）レンズ１０１は、視力を矯正する機能を有していてもよい。あるいは、レンズ１０１は、視力を矯正する機能を有しておらず、単に目を保護する機能を有する透明板であってもよい。
【００５８】
（１０）ノズル１０を用いて眼鏡１００の仕上げ洗浄をした後に、図７に示されるように、眼鏡１００を吸水性シート３００上に載置してもよい。具体的には、眼鏡１００の前枠下縁１０７が下向きとなるように吸水性シート３００の表面に接してもよい。吸水性シート３００は、少なくとも前枠下縁１０７が載置可能な大きさであればよく、眼鏡１００の全体が載置可能な大きさであってもよい。吸水性シート３００は、図７に示される四角形状に限られず、円形状、楕円形状、多角形状等の種々の形状を呈していてもよい。吸水性シート３００は、洗浄液を吸収可能な性質を有していればよい。吸水性シート３００は、多孔質の柔軟な材料（例えば、天然スポンジ、ゴムスポンジ、メラミンスポンジ等）で構成されていてもよい。
【００５９】
吸水性シート３００は、表面から突出する突起３０１を含んでいてもよい。突起３０１は、吸水性シート３００と一体化されていてもよいし、吸水性シート３００の表面に接着剤等で取り付けられていてもよい。突起３０１は、眼鏡１００の前枠下縁１０７が吸水性シート３００の表面に載置されたときに鼻当て１０４が当接する大きさであればよい。突起３０１は、例えば、四角柱形状、円柱形状、半円柱形状等の種々の形状を呈していてもよい。鼻当て１０４の高さの異なる各種の眼鏡１００に対応するために、突起３０１の一端部が吸水性シート３００の表面から分離しており、当該一端部を他端部側に折り曲げられるようになっていてもよい。突起３０１は、吸水性シート３００と同様に、洗浄液を吸収可能な性質を有していればよい。
【００６０】
変形例１０によれば、仕上げ洗浄後に、前枠下縁１０７が下となり且つ鼻当て１０４が突起３０１と当接するように眼鏡１００の少なくとも前枠下縁１０７が吸水性シート３００の上に載置される。そのため、仮に前枠下縁１０７及び鼻当て１０４に洗浄液が残っていても、眼鏡１００を吸水性シートの上に置くだけで、これらの洗浄液を同時に吸水性シート３００によって除去することが可能となる。
【００６１】
［例示］
例１．本開示の一つの例に係る眼鏡用仕上げ洗浄ノズルは、偏平形状を呈し且つ筒状を呈する胴体を備える。胴体はスリット状の吐出口を含む。ここで、吐出口から下方に向けて仕上げ洗浄液を吐出した場合、吐出口の下方に薄膜状（カーテン状）の液膜（流体カーテン）が生ずる。当該流体カーテンは、吐出口の近傍において層流となりやすく、おおよそ均一な流れを形成する。そのため、吐出口から吐出された仕上げ洗浄液が液滴状となって周囲に飛散することが抑制される。従って、例えば、眼鏡のレンズ面が流体カーテンの流れ方向に沿い且つ眼鏡のレンズ面が流体カーテンの主面に交差するように、流体カーテンに眼鏡を通過させることにより、流体カーテンの流れがレンズの両面に沿って流下するので、レンズに仕上げ洗浄液の液滴が極めて付着し難い。その結果、眼鏡の本洗浄時の洗浄液の液滴がレンズに残っていたり、本洗浄後もレンズに塵埃等が付着していたとしても、これらが流体カーテンによって流されるのみならず、仕上げ洗浄後のレンズに仕上げ洗浄液がほとんど残らない。以上により、例１のノズルによれば、レンズの拭き取り作業を経なくても、本洗浄後の眼鏡のレンズを極めて良好に浄化することが可能となる。
【００６２】
例２．例１のノズルにおいて、胴体の吐出口側の一端は胴体の他端側に向けて窪んでいてもよい。この場合、眼鏡の前枠上縁又は前枠下縁が一端の窪み内を通過するようにノズルを眼鏡に対して相対移動させることにより、当該相対移動が容易に行えるようになると共に、流体カーテンの略一定の領域にレンズを通過させることができる。
【００６３】
例３．例２のノズルにおいて、一端は他端側に向けて円弧状に窪んでいてもよい。この場合、眼鏡の前枠上縁又は前枠下縁が、一端に引っ掛かり難くなる。そのため、前枠上縁又は前枠下縁が一端の窪み内をよりスムーズに通過することが可能となる。
【００６４】
例４．例２又は例３のノズルにおいて、一端はその幅方向全体にわたって窪んでいてもよい。この場合、吐出口から吐出された仕上げ洗浄液が流体カーテンの幅方向の内側に向けて流れやすくなるので、流体カーテンが下方に向かうにつれて徐々に幅狭となる。そのため、吐出口から吐出された仕上げ洗浄液が液滴状となって周囲に飛散することがより抑制される。
【００６５】
例５．例１〜例４のいずれかのノズルにおいて、一端には吐出口を覆う網状部材が設けられていてもよい。この場合、仕上げ洗浄液が吐出口から吐出される前に網状部材を通過する。そのため、吐出口からは、網状部材によって整流された仕上げ洗浄液が吐出される。従って、流体カーテンが吐出口の近傍においてより層流となりやすくなる。その結果、吐出口から吐出された仕上げ洗浄液が液滴状となって周囲に飛散することが抑制されると共に、流体カーテンがレンズの両面に沿って流下しやすくなる。これにより、仕上げ洗浄後のレンズに仕上げ洗浄液が極めて残り難くなる。
【００６６】
例６．本開示の他の例に係る眼鏡の仕上げ洗浄方法は、例１〜例５のいずれかのノズルの吐出口から仕上げ洗浄液を下方に吐出した状態で、本洗浄後の眼鏡の前枠上縁又は前枠下縁に沿ってノズルを眼鏡に対して相対移動させることを含む。この場合、例１のノズルと同様の作用効果を奏する。
【００６７】
例７．例６の方法において、ノズルを眼鏡に対して相対移動させることは、前枠上縁又は前枠下縁が水平面に対して３０°〜６０°傾いた状態でノズルを眼鏡に対して相対移動させることを含んでいてもよい。この場合、レンズも水平面に対して傾いた状態となるので、流体カーテンの流れがレンズ面に対してより長く接触する。そのため、レンズ面に付着している液滴、塵埃等が、流体カーテンによってより流されやすくなるので、レンズがいっそう良好に浄化される。加えて、レンズが水平面に対して傾いた状態であるので、レンズ面を流れた液体は、レンズのうち下方の隅部に集まりやすくなる。そのため、当該隅部で成長した液滴が重力の作用により落下しやすくなるので、仕上げ洗浄後のレンズに仕上げ洗浄液が極めて残り難くなる。
【００６８】
例８．例６又は例７の方法において、ノズルを眼鏡に対して相対移動させることは、３０ｍｌ／ｓｅｃ〜７０ｍｌ／ｓｅｃの流量で吐出口から仕上げ洗浄液を下方に吐出した状態で、ノズルを眼鏡に対して相対移動させることを含んでいてもよい。吐出口からの仕上げ洗浄液の流量が３０ｍｌ／ｓｅｃ以上であると、流体カーテンの流れがレンズ面に沿ってよりいっそう流れやすくなる。吐出口からの仕上げ洗浄液の流量が７０ｍｌ／ｓｅｃ以上であると、吐出口からの流体カーテンがより均一な流れとなりやすくなる。
【００６９】
例９．例６〜例８のいずれか一項に記載の方法は、ノズルを眼鏡に対して相対移動させることの後に、前枠下縁が下となり且つ眼鏡の鼻当てが吸水性シートの表面から突出する突起と当接するように眼鏡の少なくとも前枠下縁を吸水性シートの上に載置することをさらに含んでもよい。この場合、仮に前枠下縁及び鼻当てに洗浄液が残っていても、眼鏡を吸水性シートの上に置くだけで、これらの洗浄液を同時に吸水性シートによって除去することが可能となる。
【００７０】
例１０．本開示の他の例に係る眼鏡洗浄装置は、例１〜例５のいずれかのノズルと、眼鏡の本洗浄を行うように構成された本洗浄槽と、本洗浄槽によって本洗浄された後の眼鏡を仕上げ洗浄するように構成された仕上げ洗浄槽と、眼鏡を本洗浄槽と仕上げ洗浄槽との間で搬送させるように構成された搬送機構と、吐出口から仕上げ洗浄液を下方に吐出させた状態で、仕上げ洗浄槽内において搬送機構に保持されている眼鏡の前枠上縁又は前枠下縁に沿ってノズルを眼鏡に対して相対移動させるように、ノズル及び搬送機構の少なくとも一方を制御する処理を実行する制御部とを備える。この場合、例１のノズルと同様の作用効果を奏する。
【符号の説明】
【００７１】
１０…ノズル（眼鏡用仕上げ洗浄ノズル）、１１…胴体、１１ｆ…下端（一端）、１１ｅ…端壁（他端）、１３…網状部材、１４…吐出口、１００…眼鏡、１０１…レンズ、１０４…鼻当て、１０６…前枠上縁、１０７…前枠下縁、２００…眼鏡洗浄装置、２０１…本洗浄槽、２０２…仕上げ洗浄槽、２０６…搬送機構、２０７…コントローラ（制御部）、３００…吸水性シート、３０１…突起。
【図１】
2019191341.tif 000003
【図２】
2019191341.tif 000004
【図３】
2019191341.tif 000005
【図４】
2019191341.tif 000006
【図５】
2019191341.tif 000007
【図６】
2019191341.tif 000008
【図７】
2019191341.tif 000009